(57)【要約】【課題】  従来浴室は、機能部材が見られないように収納する構造等が考えられていなかったために、見せたくない機能部材は他室へ移動して片付けていた点を浴室内で解決できるようにする。【解決手段】  この浴室用機能パネルの取り付け構造は、パネル面に機能部材を取り付けられる機能パネルを立体形成する。前記立体形成した機能パネルは壁と離して設置し、浴室の入浴動作をする位置より機能パネルを正面視した際、前記機能パネルにより隠蔽される裏面側の空間を設けることで長尺形状を含む機能部材を収納または取り付けできるようにした。【選択図】  図１
2007312910.tif 000002
【特許請求の範囲】
【請求項１】
浴室で使用する様々な機能を要する機能部材が取り付け可能な浴室用機能パネルであって、前記浴室用機能パネルは床に直接或いは支持材を介して壁と離した位置に立体形成することで機能部材の一部を集約して取り付けると共に、立体形成した機能パネルと壁との間に、浴室の入浴動作をする位置より機能パネルを正面視した際、前記機能パネルにより隠蔽される裏面側の空間を設けることを特徴とする浴室機能パネル。
【請求項２】
前記浴室用機能パネルは、内部或いは立体形成した機能パネルの支持材に機能部材の配線、配管、ダクト等を通す管路を設けていることを特徴とする請求項１記載の浴室用機能パネル。
【請求項３】
前記浴室用機能パネルは、床から所定の高さ位置に水栓金具または水栓金具に付随する吐水口、吐水流量調整用の操作部、温度調整用の操作部を設け、該吐水口の下側位置であって該吐水口から注水を受ける位置に洗面器置き台が設けてあることを特徴とする請求項１または２記載の浴室機能パネル。
【請求項４】
前記洗面器置き台は、支持部を中心として水平可動することを特徴とする請求項３記載の浴室用機能パネル。
【請求項５】
前記浴室用機能パネルは、シャワーヘッドまたはシャワーノズルを設けているとともに、機能パネル本体に該シャワーヘッドを掛けられるシャワーフックまたは差し込みできる凹み、あるいは穴を設けてあるあることを特徴とする請求項１または２記載の浴室用機能パネル。
【請求項６】
前記浴室用機能パネルは、浴室の入浴動作をする位置より機能パネルを正面視した際、前記機能パネルにより隠蔽される裏面側の空間を構成する面に物干しパイプの支持材を設けていると共に、収納用のフック或いは凹みを設けてあることを特徴とする請求項１または２記載の浴室用機能パネル。
【請求項７】
前記浴室用機能パネルは、浴室の入浴動作をする位置より機能パネルを正面視したした際、前記機能パネルにより隠蔽される裏面側の空間を構成する面に照明器具が設けてあることを特徴とする請求項１または２記載の機能パネル。
【請求項８】
前記浴室用機能パネルは、浴室の入浴動作をする位置より機能パネルを正面視した際、前記機能パネルにより隠蔽される裏面側の空間を構成する面に換気グリルが設けてあることを特徴とする請求項１または２記載の機能パネル。
【発明の詳細な説明】
【技術分野】
【０００１】
本発明は、浴室用機能パネルに関する発明である。 
【背景技術】
【０００２】
従来浴室は床１、壁２、天井３にて空間を構成し、浴槽４、水栓金具６、照明器具１２、鏡１４、物干しパイプ１０、換気グリル１３などの機能部材が各面に設けられていて、ユニット化された浴室の一部では、水栓金具６の取り付けと壁を併用する機能パネル５や、棚１５と壁２を併用する収納パネル２０のように機能部材と空間構成の部材を併用して構成されている。ここにおいて、浴室に要求される機能部材は多様化し、その中でも長尺の物干しパイプは浴室としての機能部材ではなく、浴室を物干し場として使用するために設置されている。
【０００３】
この長尺の物干しパイプの収納方法については特許文献１に記載されるように物干しパイプを天井面に収納するものが提案されているが、その態様は天井の意匠性を損ねていて、見えない状態に収納しているものではない。
【０００４】
また、特許文献２のようにパネルに扉をつけて収納するものが提案されているが、それは浴室内で利用する小物浴用品のためのものであり、清掃用具や物干しパイプ等の機能部材を収納できる構造とはなっていない。
【特許文献１】特開平１１−１３１８３４
【特許文献２】特開２００２−９７８１２
【発明の開示】
【発明が解決しようとする課題】
【０００５】
しかし上記記載の従来技術において、下記のような問題がある。通常部屋で利用する機能部材は使用しない時には見えない所に収納し、都度取り出して使用したいものであり、特に部屋を兼用して使用する時はその用途以外のものは片付けておきたいものである。浴室を使う状況によっては他人には見せたくないためにそれを浴室外に片付けている。しかしそのようなものは、家族で利用する時であっても入浴に使用しないものは極力目にしたくないと考えているのが現実で、浴室の一般的な態様がそれらを解決するに至っていなかった。
【０００６】
本発明は上記課題を解決するためになされたもので、浴室に設置される長尺物を含めた機能部材の一部を必要に応じて見えないように収納できる機能パネルの取り付け構造を提供するものである。
【課題を解決するための手段】
【０００７】
前記課題を解決するために本発明の請求項１の機能パネルによれば、浴室で使用する様々な機能を要する機能部材が取り付けられる浴室用機能パネルであって、前記浴室用機能パネルは直接或いは支持材を介して壁と離した位置に立体形成することで機能部材の一部を集約して取り付けると共に、立体形成した機能パネルと壁との間に浴室の入浴動作をする位置より機能パネルを正面視した際、前記機能パネルにより隠蔽される裏面側の空間を設けることを特徴とする。
【０００８】
請求項２のものは、請求項１において、前記浴室用機能パネルの取り付け構造は立体形成した内側、立体形成した機能パネルの支持材に機能部材の配線、配管、ダクト等を通す管路を設けていることを特徴とする。
【０００９】
請求項３のものは、請求項１または２に記載の浴室用機能パネルであって、前記機能パネルには床から所定の高さ位置に水栓金具または水栓金具に付随する吐水口、吐水流量調整用の操作部、温度調整用の操作部を設け、該吐水口の下側位置であって該吐水口から注水を受ける位置に洗面器置き台が設けてあることを特徴とする。
【００１０】
請求項４のものは、請求項３記載の洗面器置き台であって、前記洗面器置き台は支持部を中心として水平可動することを特徴とする。
【００１１】
請求項５のものは、請求項１または２に記載の機能パネルであって、前記機能パネルにはシャワーヘッドまたはシャワーノズルを設けているとともに、機能パネル本体に該シャワーヘッドを掛けられるシャワーフックまたは差し込みできる凹み、あるいは穴を設けてあるあることを特徴とする。
【００１２】
請求項６のものは、請求項１または２に記載の機能パネルであって、前記機能パネルには浴室の入浴動作をする位置より機能パネルを正面視した際、前記機能パネルにより隠蔽される裏面側の空間を構成する面に物干しパイプの支持材を設けていると共に、前記空間に面した機能パネル収納用のフック或いは凹みを設けてあることを特徴とする。
【００１３】
請求項７のものは、請求項１または２に記載の機能パネルであって、前記機能パネルには浴室の入浴動作をする位置より機能パネルを正面視した際、前記機能パネルにより隠蔽される裏面側の空間を構成する面に照明器具が設けてあることを特徴とする機能パネル。
【００１４】
請求項８のものは、請求項１または２に記載の機能パネルであって、前記機能パネルには浴室の入浴動作をする位置より機能パネルを正面視した際、前記機能パネルにより隠蔽される裏面側の空間を構成する面に換気グリルが設けてあることを特徴とする機能パネル。
【発明の効果】
【００１５】
本発明による請求項１及び請求項６〜８の浴室用機能パネルにおいては、浴室で利用される様々な形状をした機能部材の中で、使用していない時は見えない所に片付けたい機能部材、直接触れて使う必要のない機能部材等を浴室の入浴動作をする位置より機能パネルを正面視した際、前記機能パネルにより隠蔽される裏面側の空間に収納または取り付けることで入浴の際に目に付かなくなり、機能部材で煩雑とした浴室内を整理でき、時には浴室外に片付けていたものまでも浴室内に置くことが可能となる。
【００１６】
また、請求口２の構成とすれば、機能パネルに取り付ける水栓金具、照明器具、換気ダクトの配管を立体形成された機能パネル内部の管路を通すことで、意匠性に優れたものとすることができる。
【００１７】
また、請求項３、５は一般に壁面に取り付けられる機能パネルと同様に水栓金具を取り付けているが、水栓金具の配管が浴室内部で保守、点検できることで従来の壁面の小さな点検口より行なう作業よりも容易に行なうことができる。
【００１８】
また、請求項４は洗面器置き台の支持部が壁より離れた点で支持することで奥側に回動でき、高さの違う洗面器、バケツ等に対応して変化させて使うことが可能となる。
【実施例】
【００１９】
本発明の実施の形態を図1〜5に基づいて以下に説明する。なお、図において従来例と同じものには、同一の符号を付している。
【００２０】
図１は本発明の実施形態の浴室用機能パネルを示す斜視図である。図２は前記と同じ実施例を別視点より示す斜視図である。図３は前記同じ実施例の立体形成した機能パネル内を示す斜視図である。図４本発明の実施形態の浴室用機能パネルの別形態を示す斜視図である。図５は従来の浴室を示す斜視図である。
【００２１】
図1に図示する浴室は図５に示す従来の浴室と同様の床１、壁２、天井３で構成された空間で、浴室に取り付けられる水栓金具６、鏡１４、照明器具１２等の機能部材を取り付けることを目的とした機能パネル５であって、前記機能パネル５は取り付け枠１７またはパネルを組み合わせて立体形成し機能部材の一部を集約して取り付けると共に、浴室の壁２より離して壁面との間に、浴室の入浴動作をする位置より機能パネル５を正面視した際、前記機能パネル５により隠蔽される裏面側の空間を設けるように支持材１６で床１に固定する。なお図１〜４では支持材を床１と天井３に固定しているが、固定する場所は前記に限定するものではなく浴室内の略水平面、略垂直面に固定してもよい。また立体形成した機能パネル５は保守の際、適宜取り外すことができる。
【００２２】
また、前記支持材１６を可動できる構造とすることで立体形成した機能パネル５を扇状に回動させる（機能パネルの向きを変える）ことも可能となり、裏面側のパネルの清掃の際や点検作業等を容易にすることができる。
【００２３】
また、立体形成した機能パネル５の内側或いは立体形成した機能パネル５の支持材１６に機能部材の配線、配管、ダクト等を通す管路を設け、浴室の略水平面より立ち上げた給水管１８、給湯管１９等の設備配管を前記管路に導くように取り付けることで、機能部材に含まれる設備部材の機能を有効にする。
【００２４】
浴室用機能パネルの取付構造にて取り付けられた機能パネル５には、床１から所定の高さ位置に水栓金具６または水栓金具６に付随する吐水口６ａ、吐水流量調整用の操作部６ｂ、温度調整用の操作部６ｃを設け、該吐水口６ａの下側位置であって該吐水口６ａから注水を受ける位置に洗面器置き台９を設けている。この洗面器置き台９は支持部を中心として水平可動できるようにしても良い。
【００２５】
また、機能パネル５には水栓金具６に付随するシャワーヘッド７或いはシャワーノズル及びシャワーフック８またはそれと同等の機能を有する差し込みできる凹み、あるいは穴を設けていて、シャワーヘッド７或いはシャワーノズルへの配管は立体形成した機能パネル５内側の管路を通して接続する。
【００２６】
また、浴室の入浴動作をする位置より機能パネル５を正面視した際、前記機能パネル５により隠蔽される裏面側の空間を構成する機能パネル面には物干しパイプ１０の支持材を設けているとともに、収納用のフック１１或いは凹みを設けている。
【００２７】
また、浴室の入浴動作をする位置より機能パネル５を正面視した際、前記機能パネル５により隠蔽される裏面側の空間を構成する機能パネル面には照明器具１２を設けている。
【００２８】
また、浴室の入浴動作をする位置より機能パネル５を正面視した際、前記機能パネル５により隠蔽される裏面側の空間を構成する機能パネル面には換気グリル１３を設けていて換気グリル１３と換気扇本体は立体形成した機能パネル内側の管路を通して接続する。
【００２９】
図示では、浴室の入浴動作をする位置より機能パネル５を正面視した際、前記機能パネル５により隠蔽される裏面側の空間に取り付ける機能部材を機能パネル面に設けているが前記空間を構成する壁２に取り付けても良い。
【００３０】
また図1では機能パネル５を床１から天井３まで一体としたが、図４のように機能パネル5を分割したり、パネルに開口をあけるなどして浴室の入浴動作をする位置より機能パネルを正面視した際、前記機能パネルにより隠蔽される裏面側の空間をより限定して設けるようにしてもよい。
【００３１】
かかる本例の浴室用機能パネルによれば、従来のように収納した状態であっても見えてしまう位置に取り付けられていた入浴には関係のない長尺の物干しパイプ１０や清掃用具は家族以外の人が浴室を利用する場合に他室へ片付けていたが浴室の入浴動作をする位置より機能パネル５を正面視した際、前記機能パネル５により隠蔽される裏面側の空間を構成する機能パネル面に取り付けることで見えなくなり、前記の問題を解決できる。
【００３２】
また本例では機能部材であっても直接触れて利用することのない照明器具１２や換気グリル１３も浴室の入浴動作をする位置より機能パネル５を正面視した際、前記機能パネル５により隠蔽される裏面側の空間に取り付けることで見えなく設置することが可能となり、従来様々な機能部材がとりつけられている浴室内の煩雑感を和らげて本来浴室空間に求められるくつろぐための空間とすることができる。
【００３３】
また、機能パネル５に取り付けられるシャワーフック８についても、従来は壁面より凸形状に取り付けていたが、立体形成した機能パネル５とその設置位置によりシャワーヘッド７に接続するシャワーホースをシャワーフック８の取り付け部より後ろに回して掛けることが可能となり、それにより形状を凹形状にできるため浴室内で滑って転んだ時などにより安全な浴室とすることが可能となる。
【００３４】
本発明の浴室用機能パネルの取付構造は以上述べた実施形態に限定されず、機能パネルの形状、浴室の機能部材の種類等、種々変更組み合わせで構成されるものである。
【図面の簡単な説明】
【００３５】
【図１】本発明の実施形態の浴室用機能パネルを示す斜視図である。
【図２】同じ実施例を別視点より示す斜視図である。
【図３】同じ実施例の立体形成した機能パネル内を示す斜視図である。
【図４】本発明の実施形態の浴室用機能パネルを示す別形態の斜視図である。
【図５】従来の浴室を示す斜視図である。
【符号の説明】
【００３６】
１…床
２…壁
３…天井
４…浴槽
５…機能パネル
６…水栓金具
６ａ…吐水口
６ｂ…吐水流調整用の操作部
６ｃ…温度調整用の操作部
７…シャワーヘッド
８…シャワーフック
９…洗面器置き台
１０…物干しパイプ
１１…物干しパイプ用フック
１２…照明器具
１３…換気グリル
１４…鏡
１５…棚
１６…支持材
１７…取り付け枠
１８…給水管
１９…給湯管
２０…収納パネル
【図１】
2007312910.tif 000003
【図２】
2007312910.tif 000004
【図３】
2007312910.tif 000005
【図４】
2007312910.tif 000006
【図５】
2007312910.tif 000007